(57)【要約】【課題】  集結接腫に対応する、製造例での、滅菌を目的とした、その複ビーを立てる台に、その複ビーを立てたその台を入れた滅形態の箱を提供する。【解決手段】  複ビーの長側面（１）を合わせたその複ビー（図３）を立てる横長台（２）を設け、その台に、複ビーの針付円筒部（３）が入り、その先に空間（４）をもつ横長溝（５）と、その複ビーのツバ（６）を置く横長板（７）と、その複ビーのツバ側面（８）を囲む壁（９）と縦長壁（１０）を設け、その設けた台に、その複ビーを立て、その複ビーを立てたその台を入れた、底部全開口（１１）の横長空箱（１２）と、底部全開口（１１）全周囲の平面（１３）と、密着し、底部全開口（１１）を覆う、はがし蓋（１４）を設けた、その複ビーを立てたその台を入れた滅形態の箱を特徴とする【選択図】図１
2007152073.tif 000002
【特許請求の範囲】
【請求項１】
（イ）、複数のビーシージー管針のツバ長側面（１）を合わせた、その複数のビーシージー管針（図３）を立て入れる、横長台（２）を設ける
（ロ）、横長台（２）上部中央に、その複数のビーシージー管針（図３）の針付円筒部（３）が入り、その針付円筒部（３）先に、空間（４）を有する横長溝（５）を設ける。
（ハ）、横長台（２）上部、横長溝（５）開口部両側に、その複数のビーシージー管針（図３）のツバ（６）を置く、横長板（７）を設ける
（ニ）、横長台（２）上部全外周に、その複数のビーシージー管針（図３）のツバ側面（８）を囲む、壁（９）を設ける。
（ホ）、壁（９）の両側短辺上に、縦長壁（１０）を設ける
以上の構成よりなる、その複数のビーシージー管針を立てる台
【請求項２】
（イ）、その複数のビーシージー管針（図３）を立てる台（図４）に、その複数のビーシージー管針（図３）を立てたその台（図５）を入れた、底部全開口（１１）の横長空箱（１２）を設ける。
（ロ）、底部全開口（１１）の全周囲に、平面（１３）を設ける
（ハ）、平面（１２）に密着し、底部全開口（１１）を覆う、はがし蓋（１４）を設ける。
以上の構成よりなる、請求項１の、その複数のビーシージー管針を立てる台に、その複数のビーシージー管針を立てた、その台を入れた、滅菌可能形態の箱
【発明の詳細な説明】
【技術分野】
【０００１】  この発明は、集団結核予防接腫（現在、保健所にて実施）に使用されている、１個袋１本入り滅菌済ビーシージー管針を、集団に対応するために、製造側での滅菌を目的としたその復数のビーシージー管針を立てる台と、その復数のビーシージー管針を立てた、その台を入れた滅菌可能形態の箱に関するものである。
【背景技術】
【０００２】  この文中より、複数の、を復、ビーシージー管針をビー、プラスチックをプラ、集団結核予防接腫を集結接腫、滅菌可能形態を滅形態滅菌済を滅と略す。【０００３】  背景技術を、５つに分けて説明す。〔０００４〕に、ビーと従来の１個袋１本入り滅ビーを、〔０００５〕に、従来、ビーセットと滅ビーセットを、〔０００６〕に、従来その２つの前準備と取り出し手順を、〔０００７〕に、従来その２つのプラと紙の区分け処理を、〔０００８〕に、従来ビーセットの後片付け及び滅ビーセット作りを、説明す。【０００４】  ビーとは、針付円筒部と、ツバと、もろ手部からなる管針で、従来の１個袋１本入り滅ビーとは、上述のビーに、針付円筒部とツバ下面及び側面を覆う、保護キャップ（保護キャップの目的は、針付円筒部の針先形態保護、汚染防止、外傷防止である）が取り付けられ、そして、その保護キャップが取り付けられたビーを、プラと紙が密着する１個袋に入れ、滅菌した、そのビーを、１個袋１本入り滅ビーという、保健所では、その１個袋１１本入り滅ビーの、１個袋が数個連なった状態で入っている、１個袋１本入り滅ビーの１０本入り１箱を、使用していた。【０００５】  従来、保健所では、１個袋１本入り滅ビーを、集結接腫に使用する場合、集団に対応するために、１個袋１本入り滅ビーを、多本数立て並べておく必要があった。このため、保健所では、ビーセットと滅ビーセットを作った。ビーセットとは、１個袋１本入り滅ビーを、多本数立て入れ並べできる多数の丸穴をもつ器具を、蓋付トレイに入れ、それを、メッキンバッグ（滅菌する物品を、入れる袋、滅を色で表示、使用有効期限１ヵ月）に入れ閉封した物品をビーセットという、滅ビーセットとは、そのビーセットを保健所内の、オートクレーブに入れ、滅菌し、滅となったビーセットを、滅ビーセットという、保健所では、従来、この１個袋１本入り滅ビーと、滅ビーセットの２つを共に使用していた。【０００６】  従来、その２つには、前準備と取り出し手順があった、それについて、保健所での、集結接腫の実施例に基づき説明する。集結接腫の来所予測人数が、１００名とした場合、１個袋１本入り滅ビーを、少な目の８０本、つまり、１０本入り１箱を８箱、前準備する、共に、滅ビーセットも前準備する。滅ビーセットの取り出し手順は、メッキンバッグより、丸穴器具入り蓋付トレイを取り出し、そのトレイより蓋を取る。次に、１個袋１本入り滅ビーの取り出し手順を説明する。まず、８箱より、１個袋１本入り滅ビーを全て取り出し、１個袋が連なっている部分を、全て切り離し、完全に１個袋にする。そして、その１個袋を開封し、滅ビーより保護キャップを取りはずし、その滅ビーを１個袋より取り出す。そして上述の蓋を取ったトレイの丸穴器具に立て入れてゆく。８０本、全て同手順にて立て終えると接腫ドクターが来る迄、トレイに蓋をし、前準備を終予する。残り接腫人数は、受け付け終予後の確定人数に、見合わせながら、１個袋１本入り滅ビーを、同手順にて、丸穴器具に立ててゆき、取り出し手順を終予する。【０００７】  従来、その２つの、全接腫人数分のプラと紙の区分け処理があった。まず、プラと紙が密着する全接腫人数分の１個袋を、プラと紙にはがし分け、そして、全接腫人数分の保護キャップ、１０本入り１箱の空箱、メッキンバッグと共に、プラと紙に区分け処理していた。【０００８】  従来、ビーセットの後片付け及び滅ビーセット作りがあった。全接腫終予後、丸穴器具とトレイと蓋を、流水洗浄し、水拭き後、丸穴器具をトレイに入れ、蓋をし、それをメッキンバッグに入れ、閉封したビーセットを、末滅菌棚に収納し、次回集結接腫日１ヵ月以内に、末滅菌棚よりビーセットを取り出し、メッキンバッグに滅菌日記入後、保健所内のオートクレーブにより滅菌し、ビーセットがさめてから、それを取り出し、滅を色で確認後、滅となったビーセットを、滅棚に収納し滅ビーセット作りを終予した。
【発明の開示】
【発明が解決しようとする課題】
【０００９】  それには、次のような欠点があった。
（イ）、集団に対応するために、前準備に、来所予測人数少な目の、１個袋１本入り滅ビーを立て並べておく必要があった。このため、１個袋１本入り滅ビーの、上述の取り出し手順を、繰り返し行なわなければならなかった。このため、大変な手間、時間がかかった
（ロ）、集団に対応するために、滅ビーセットが必要であった。そのため、それに伴なった前準備取り出し手順、後片付け、メッキンバッグの区分け処理、ビーセット及び滅ビーセット作りが必要となった。このため大変な手間、時間がかかった。
（ハ）、従来２つの全接腫人数分の、プラと紙の区分け処理があった。そのため、プラと紙が密着する全接腫人数分の１個袋のはがし分けが必要であった。そして、全接腫人数分の保護キャップ、１０本入り１箱の空箱、メッキンバッグと共に区分け処理を行なっていた、このため大多数の区分け処理数となり、大変な手間、時間がかかった。
（ニ）、１個袋１本入り滅ビーの取り出し手順において、１個袋の開封、保護キャップの取りはずし、滅ビーの１個袋より取り出し等、空気汚染を、受ける場面が多かった。加えて、前準備において、来所予測人数分の、１個袋１本入り滅ビーを立て入れするため、空気汚染を受ける時間が長くなり、滅ビーの空気汚染量の増加につながった。
【課題を解決するための手段】
【００１０】（イ）、複ビーのツバ長側面（１）を合わせたその複ビー（図３）を立て入れる、横長台（２）を設ける
（ロ）、横長台（２）上部中央に、その複ビー（図３）の針付円筒部（３）が入り、その針付円筒部（３）先に、空間（４）を有する、横長溝（５）を設ける。
（ハ）、横長台（２）上部、横長溝（５）開口部両側に、その複ビー（図３）のツバ（６を置く、横長板（７）を設ける。
（ニ）、横長台（２）上部全外周に、その複ビー（図３）のツバ側面（８）を囲む、壁（
９）を設ける。
（ホ）、壁（９）の両側短辺上に、縦長壁（１０）を設ける
本発明は、以上の構成よりなる、その複ビーを立てる台である【００１１】（イ）、その複ビー（図３）を立てる台（図４）に、その複ビー（図３）を立てたその台（図５）を入れた、底部全開口（１１）の横長空箱（１２）を設ける
（ロ）、底部全開口（１１）の全周囲に、平面（１３）を設ける
（ハ）、平面（１３）に密着し、底部全開口（１１）を覆う、はがし蓋（１４）を設ける。
本発明は、以上の構成よりなる、その複ビーを立てる台に、その複ビーを立てたその台を入れた、滅形態の箱である。
【発明の効果】
【００１２】（イ）、製造側で滅となった、その複ビー（図３）を立てたその台（図５）により、来所予測人数少な目の１個袋１本入り滅ビーを、立て並べておく必要がなくなった。これにより、前準備に、１個袋１本入り滅ビーを、上述の取り出し手順により、繰り返し行なう必要がなくなり、大変だった手間、時間が、なくなった
（ロ）、製造側で滅となった、その復ビーを立てたその台を入れた、滅形態の箱（図２）により、滅ビーセットが不用となった。これにより、滅ビーセットの前準備、取り出し手順、メッキンバッグの区分け処理、後片付け、ビーセット及び滅ビーセット作り、全て不用となり、大変だった手間、時間が全てなくなった。
（ハ）、滅ビーセットの不用に伴ない、メッキンバッグが不用となり、資源削減となった
（ニ）、プラと紙の区分け処理が、横長台（２）、横長空箱（１２）、はがし蓋（１４）の接腫人数分と、残り接腫人数分に、従来の１個袋１本入り滅ビーを使用した場合の数のみとなるため、区分け処理数が激減し、加えて、プラと紙にはがす１個袋の数も激減するため、共に大変だった手間、時間が、大きく削減した。
（ホ）、空気汚染量が、製造側で滅となった。その複ビーを立てたその台を入れた、滅形態の箱（図２）の使用手順〔００１４〕により、空気汚染を受ける場面が、はがし蓋（  ）を、はがす場面のみで、加えて、従来の、１個袋１本入り滅ビーのように、来所予測人数少な目の滅ビーを立てる必要がないため、空気汚染を長く受けることがない、従がって、本発明の滅となったその複ビー（図３）は、従来の滅ビーに比べ、極めて空気汚染量が少ない、その複ビー（図３）となり、衛生面の改善につながった。
（ト）縦長壁（１０）により、その複ビー（図３）の、転倒防止となり、転倒によるその複ビーの汚染防止や、その複ビーの針先による外傷防止につながった
【発明を実施するための最良形態】
【００１３】（イ）、複ビーのツバ長側面（１）を合わせたその複ビー（図３）を立て入れる、ＩＩ型横長台（  ）を設ける。
（ロ）、ＩＩ型横長台（２）の上部中央に、その複ビー（図３）の針付円筒部（３）が、緩やかに入り、その針付円筒部（３）先に、空間（４）を有するＵ型横長溝（５）を設ける
（ハ）、ＩＩ型横長台（２）上部、Ｕ型横長溝（５）開口部両側に、その複ビー（図３）のツバ（６）を置く、長方形型横長板（７）を設ける
（ニ）、ＩＩ型横長台（２）上部全外周に、その複ビー（図３）のツバ側面（８）を、緩やかに、覆い囲む、壁（９）を設ける
（ホ）、壁（９）の、両側短辺上に、縦長壁（１０）を設ける
（ヘ）、縦長壁（１０）の位置が、その複ビー（図３）のもち手部（１５）前後に位置し、もち手部（１５）と同横幅で、もち手部（１５）１／２の高さをもつ、縦長壁（１０）を設ける
本発明は以上のような構造の、その複ビーを立てる台である。
【００１４】（イ）、その複ビーを立てる台（図４）に、その複ビーを立てたその台（図５）を、緩やかに入れた、底部全開口（１１）の、凸型横長空箱（１２）を設ける
（ロ）、その複ビー（図３）のもち手部（１５）最上とツバ（６）上面、横長台（２）の壁（９）上と、接触する、横長面（１６）、（１７）、（１８）、をもつ、凸型横長空箱（１２）を設ける
（ハ）、底部全開口（１１）の全周囲に、平面（１３）を設ける
（ニ）、平面（１３）の前後に、開け口切欠部（１９）を設ける
（ホ）、平面（１３）と密着し、底部全開口（１１）を覆う、はがし蓋（１４）を設ける
本発明は、以上のような構造の、その複ビーを立てる台に、その複ビーを立てたその台を入れた、滅形態の箱である。
本発明を使用する場合、まず、製造側にて、その複ビーを立てる台に、その複ビを立てたその台を入れた、滅形態の箱（図２）を滅菌し、滅となった、その滅形態の箱（図２）を、集結接腫に使用する、その使用手順は、はがし蓋（１４）の面を上向け、そのはがし蓋（１４）を、平面（１３）の開け口切欠部（１９）より、はがし取り、そして、凸型横長空箱（１２）と、その中に入っている、その複ビーを立てたその台（図５）の底面を、共に持ち、底部全開口（１１）を下向け、接腫机に置き、接腫ドクターが来てから、凸型横長空箱（１２）を上方に上げ取る。
【００１５】  その複ビー（図３）の、複の適数は、１０本である。数が数えやすいため、来所人数に応じて、準備しやすい
【００１６】  横長空箱（１２）は、無色透明が好適である。これにより、使用手順時、その複ビーの整列状態に注意しながら、使用手順を行なうことができる。また、中の観察もできるため、安全性の向上につながる。
【００１７】  滅菌有効期限を記入した、はがし蓋が好適である、この記入場所により、スムーズ、且つ、より確実に、滅菌有効期限を確認できる。（従来、１０本入り１箱の１側面に記入）
【００１８】  横長台（２）、横長空箱（１２）、はがし蓋（１４）の３種を、共にプラ処理できる材質が好適である。これにより、区分け処理数が一層減少する。
【図面の簡単な説明】
【００１９】
【図１】  本発明の、その複ビーを立てる台に、その複ビーを立てたその台を入れた滅菌可能形態の箱の分解図
【図２】  本発明の、その複ビーを立てる台に、その複ビーを立てたその台を入れた滅菌可能形態の箱の斜視図
【図３】  複ビーの長側面を合わせたその複ビーの斜視図
【図４】  本発明の、その複ビーを立てる台の斜視図
【図５】  その複ビーを立てたその台の斜視図
【図６】  本発明の、その複ビーを立てる台に、その複ビーを立てたその台を入れた滅菌可能形態の箱の、実物同大の縦断面図
【符号の説明】
【００２０】  １、ツバ長側面
２、ＩＩ型横長台
３、針付円筒部
４、空間
５、Ｕ型横長溝
６、ツバ
７、長方形型横長板
８、ツバ側面
９、壁
１０、縦長壁
１１、底部全開口
１２、凸型横長空箱
１３、平面
１４、はがし蓋
１５、もち手部
１６、もち手部最上部と接触する横長面
１７、ツバ上面と接触する横長面
１８、壁上と接触する横長面
１９、開け口切欠部
【図１】
2007152073.tif 000003
【図２】
2007152073.tif 000004
【図３】
2007152073.tif 000005
【図４】
2007152073.tif 000006
【図５】
2007152073.tif 000007
【図６】
2007152073.tif 000008